(57)【要約】【課題】エレベータの着床検出手段の誤作動を抑制する。【解決手段】エレベータは、昇降路１０を昇降する乗りかご２０、乗りかご２０の着床を検出する着床検出手段、および、着床検出手段を清掃する一対のブラシ５０を備えている。着床検出手段は、光電装置３０と反射板４０とを有している。光電装置３０は、乗りかご２０に固定されて、投光部および受光部を有している。反射板４０は、昇降路１０に固定されて、乗りかご２０が階床に着床した時に投光部から投光された光を受光部に向けて反射させる。一対のブラシ５０は、光電装置３０の上下に位置するように乗りかご２０に固定されて、乗りかご２０の昇降に伴って反射板４０に接触して反射板４０を清掃する。【選択図】図１
2012030954.tif 000002
【特許請求の範囲】
【請求項１】
昇降路を昇降する乗りかごと、
前記乗りかごに固定されて、投光部および受光部を有する光電装置と、
前記昇降路に固定されて、前記乗りかごが階床に着床した時に前記投光部から投光された光を前記受光部に向けて反射させる反射手段と、
前記光電装置の上下に位置するように前記乗りかごに固定されて、前記乗りかごの昇降に伴って前記反射手段に接触して前記反射手段を清掃する一対の清掃手段と、
を具備したことを特徴とするエレベータ。
【請求項２】
前記一対の清掃手段が互いに前記反射手段の上下方向の長さ以上の間隔を空けて配置されていることを特徴とする請求項１に記載のエレベータ。
【請求項３】
前記乗りかごに固定されて、前記乗りかごの昇降に伴って前記昇降路内の空気を前記清掃手段に向けて吹き掛ける吹掛け手段を具備したことを特徴とする請求項１または２に記載のエレベータ。
【請求項４】
前記乗りかごに固定されて、前記乗りかごの昇降に伴って前記昇降路内の空気を前記光電装置に向けて吹き掛ける吹掛け手段を具備したことを特徴とする請求項１ないし３のいずれか一項に記載のエレベータ。
【請求項５】
前記吹掛け手段が前記乗りかごの昇降に伴って前記昇降路内の空気を取り込んで前記光電装置に向けて吹き付けるダクトであることを特徴とする請求項３または４に記載のエレベータ。
【請求項６】
前記乗りかごに取り付けられたブラケットを具備し、前記光電装置および前記清掃手段が前記ブラケットに取り付けられていることを特徴とする請求項１ないし５のいずれか一項に記載のエレベータ。
【請求項７】
前記清掃手段がブラシであることを特徴とする請求項１ないし６のいずれか一項に記載のエレベータ。
【請求項８】
前記清掃手段がローラであることを特徴とする請求項１ないし７のいずれか一項に記載のエレベータ。
【発明の詳細な説明】
【技術分野】
【０００１】
本発明の実施形態は、着床検出手段を清掃する清掃手段を備えたエレベータに関する。
【背景技術】
【０００２】
一般に、エレベータは、乗りかごが乗り場の階床に着床したことを検出する着床検出手段を備えている。着床検出手段は、反射型の光電装置と、光電装置が投光した光を光電装置に向けて反射させる反射板とを有している。光電装置は、乗りかごに固定されている。反射板は、乗りかごが各階床に着床した時に、光電装置に対向する位置に設けられている。
【０００３】
光電装置は、光を投光および受光する投受光面を有していて、投受光面に塵埃などの異物が付着すると、誤作動を起こす恐れがある。そのため、乗りかごの昇降に伴って光電装置の光透過面を清掃する清掃手段が設けられたエレベータが知られている（特許文献１参照）。
【先行技術文献】
【特許文献】
【０００４】
【特許文献１】特開２００５−３２０１２０号公報
【発明の概要】
【発明が解決しようとする課題】
【０００５】
着床検出手段は、乗りかごが階床に着床した時に、光電装置の投光部からの光が反射板により反射されて光電装置の受光部に入射することによって、乗りかごの着床を検出する。ここで、反射板に髪の毛や埃などの異物が付着すると、光の乱反射などによって、着床検出手段が誤作動する恐れがある。
【０００６】
そこで、本発明の実施形態は、上述の課題を解決するためになされたものであり、エレベータの着床検出手段の誤作動を抑制することを目的とする。
【課題を解決するための手段】
【０００７】
上記の目的を達成するために、本発明の実施形態に係るエレベータは、昇降路を昇降する乗りかごと、前記乗りかごに固定されて、投光部および受光部を有する光電装置と、前記昇降路に固定されて、前記乗りかごが階床に着床した時に前記投光部から投光された光を前記受光部に向けて反射させる反射手段と、前記光電装置の上下に位置するように前記乗りかごに固定されて、前記乗りかごの昇降に伴って前記反射手段に接触して前記反射手段を清掃する一対の清掃手段とを具備したことを特徴とする。
【図面の簡単な説明】
【０００８】
【図１】本発明の第１の実施形態に係るエレベータにおいて、乗りかごが昇降路を昇降している状態を示す概略立断面図である。
【図２】本発明の第１の実施形態に係るエレベータにおいて、乗りかごが階床に着床している状態（乗りかごが階床で停止している状態）を示す概略立断面図である。
【図３】本発明の第１の実施形態に係るエレベータの着床検出手段および清掃手段を示す斜視図である。
【図４】本発明の第１の実施形態に係るエレベータの着床検出手段および清掃手段を示す概略側面図である。
【図５】本発明の第２の実施形態に係るエレベータの着床検出手段および清掃手段を示す概略側面図である。
【図６】本発明の第３の実施形態に係るエレベータにおいて、乗りかごが昇降路を上昇している状態を示す概略立断面図である。
【図７】本発明の第４の実施形態に係るエレベータの着床検出手段、清掃手段および吹掛け手段を示す斜視図である。
【発明を実施するための形態】
【０００９】
［第１の実施形態］
本発明の第１の実施形態に係るエレベータについて、図１ないし図４を用いて説明する。  
図１は、乗りかごが昇降路を昇降している状態を示す概略立断面図である。図２は、乗りかごが階床に着床している状態を示す概略立断面図である。図３は、着床検出手段および清掃手段を示す斜視図である。図４は、着床検出手段および清掃手段を示す概略側面図である。
【００１０】
まず、本実施形態に係るエレベータの構成について説明する。
【００１１】
エレベータは、昇降路１０を昇降する乗りかご２０、乗りかご２０の着床を検出する着床検出手段、および、着床検出手段を清掃する一対の清掃手段を備えている。なお、本実施形態では、着床検出手段は、光電装置３０および反射板４０を有している。また、清掃手段は、ブラシ５０である。
【００１２】
乗りかご２０は、巻上機のシーブに巻き掛けられた主ロープの一端に吊り下げられている（図示省略）。主ロープの他端には、釣合いおもりが吊り下げられている（図示省略）。乗りかご２０は、巻上機の駆動によって、昇降路１０を昇降して、複数の階床の間を移動する。
【００１３】
着床検出手段は、乗りかご２０が各階床に着床したことを検出する。例えば、着床検出手段により乗りかご２０が所望の階床に着床したことが検出された後、乗り場１２の扉１４および乗りかご２０の扉が開かれる。
【００１４】
着床検出手段は、反射型の光電センサである。着床検出手段は、投光部と受光部とを兼ね備えた光電装置３０、および、反射板４０を有している。着床検出手段は、乗りかご２０が階床に着床した時に、光電装置３０の投光部からの光が反射板４０により反射されて光電装置３０の受光部に入射することによって、乗りかご２０の着床を検出する。
【００１５】
光電装置３０は、ブラケット３２を介して、乗りかご２０に固定されている。ブラケット３２は、例えば、乗りかご２０の下面の乗り場１２寄りの位置に取り付けられている。ブラケット３２は、上下に延びた板状に形成されている。光電装置３０は、ブラケット３２に取り付けられている。本実施形態では、ブラケット３２には、互いに上下に配列された３個の光電装置３０が取り付けられている。
【００１６】
一方、反射板４０は、昇降路１０に固定されている。反射板４０は、エレベータの階床分だけ設けられる。反射板４０は、乗りかご２０が各階床に着床した時に、３個の光電装置３０に対向する位置に設けられている。本実施形態では、反射板４０は、各階の乗り場１２の敷居部に取り付けられている。
【００１７】
乗りかご２０が各階床に着床した時に、光電装置３０に対向する位置に設けられた反射板４０によって、投光部から投光された光が受光部に向けて反射される。本実施形態では、３個の光電装置３０の全てが反射光を受光することによって、乗りかご２０の着床が確認される。
【００１８】
本実施形態では、清掃手段は、ブラシ５０である。一対のブラシ５０は、ブラケット３２を介して、乗りかご２０に固定されている。一対のブラシ５０は、光電装置３０を挟んで光電装置３０の上下に位置するようにブラケット３２に取り付けられている。一対のブラシ５０は、乗りかご２０の昇降に伴って、その先端が反射板４０に接触して、反射板４０に付着した異物を払い落とす。なお、一対のブラシ５０は、乗りかご２０が各階床に着床した時に反射板４０に接触しないように、反射板４０の上下方向の長さ以上の間隔を空けて配置されている。
【００１９】
次に、本実施形態に係るエレベータの効果について説明する。
【００２０】
反射板４０に髪の毛、糸屑、埃などの異物が付着すると、乗りかご２０が着床したにもかかわらず検出されない、あるいは、乗りかご２０が着床位置から外れた位置にあるにもかかわらず検出してしまう恐れがある。本実施形態によれば、乗りかご２０の昇降に伴って、ブラシ５０が反射板４０に付着した異物を払い落とす。そのため、このような着床検出手段の誤作動を抑制することができる。
【００２１】
加えて、本実施形態では、一対のブラシ５０が光電装置３０の上下に位置している。そのため、最下階および最上階に設けられた反射板４０に付着した異物も払い落とすことができる。
【００２２】
また、一対のブラシ５０は、所定の間隔を空けて配置され、乗りかご２０の着床時に反射板４０に接触しない。そのため、ブラシ５０の存在によって、着床検出手段が誤作動を起こすことがない。
【００２３】
［第２の実施形態］
本発明の第２の実施形態に係るエレベータについて、図５を用いて説明する。図５は、着床検出手段および清掃手段を示す概略側面図である。なお、本実施形態は、第１の実施形態の変形例であるため、重複部分には同一符号を付して、その部分の構成の説明を省略する。
【００２４】
本実施形態では、清掃手段は、ローラ５２である。ローラ５２は、その外周部が例えばスポンジ５２ａで構成されている。一対のローラ５２は、光電装置３０の上下に位置するようにブラケット３２に回転自在に取り付けられている。一対のローラ５２は、乗りかご２０の昇降に伴って、その外周部のスポンジ５２ａが反射板４０に接触し、ローラ５２が回転して、反射板４０に付着した異物を取り除く。例えば、反射板４０に引っ掛かった髪の毛は、ローラ５２の回転により、ローラ５２に巻き取られる。また、反射板４０の反射面に付着した塵埃は、ローラ５２のスポンジ５２ａに拭き取られる。
【００２５】
本実施形態によっても、最下階および最上階を含む各階に設けられた反射板４０に付着した異物を取り除くことができる。
【００２６】
また、蜘蛛の巣が一対のローラ５２に渡って繋いで作られてしまった場合には、着床検出手段が誤作動を起こすことが考えられる。しかし、本実施形態によれば、乗りかご２０の昇降に伴って、ローラ５２が回転するため、蜘蛛の巣は巻き取られる。
【００２７】
［第３の実施形態］
本発明の第３の実施形態に係るエレベータについて、図６を用いて説明する。図６は、乗りかごが昇降路を上昇している状態を示す概略立断面図である。なお、本実施形態は、第１の実施形態の変形例であるため、重複部分には同一符号を付して、その部分の構成の説明を省略する。
【００２８】
本実施形態に係るエレベータは、吹掛け手段を備えている。吹掛け手段は、例えばダクト６０である。ダクト６０は、乗りかご２０の外壁側面に固定されている。ダクト６０は、上向きに吸気口が形成され、斜め下向きに排気口が形成されている。排気口は、ブラケット３２に取り付けられた一対のブラシ５０および光電装置３０に向けられている。
【００２９】
本実施形態によれば、乗りかご２０の上昇に伴って、昇降路１０内の空気（図６の矢印）を一対のブラシ５０および光電装置３０に向けて吹き付けることができる。その結果、ブラシ５０に引っ掛かった異物を吹き飛ばすことができる。また、光電装置３０の投光面および受光面を清掃することができる。
【００３０】
［第４の実施形態］
本発明の第４の実施形態に係るエレベータについて、図７を用いて説明する。図７は、本発明の第４の実施形態に係るエレベータの着床検出手段、清掃手段および吹掛け手段を示す斜視図である。なお、本実施形態は、第３の実施形態の変形例であるため、重複部分には同一符号を付して、その部分の構成の説明を省略する。
【００３１】
本実施形態では、吹掛け手段は、ダクト６０に代わって、２枚の風向変更板６２である。２枚の風向変更板６２は、一対のブラシ５０に隣接して、ブラケット３２のブラシ５０が取り付けられた面に起立している。本実施形態によっても、昇降路１０内の空気（図７の矢印）を一対のブラシ５０に向けて吹き掛けることができる。
【００３２】
［他の実施形態］
上記の実施形態は単なる例示であって、本発明はこれらに限定されるものではない。例えば、第２の実施形態に係るエレベータに、第３の実施形態で説明したダクト６０を付け加えても良い。また、第２の実施形態において、ローラ５２のスポンジ５２ａがブラシで構成されていても良い。
【００３３】
また、第３の実施形態において、ダクト６０の設置向きを上下逆にしても良い。この場合には、乗りかご２０の下降に伴って、ブラシ５０および光電装置３０に向けて空気を吹き付けることができる。さらに、互いに上下逆向きの２個のダクト６０を設けても良い。
【００３４】
また、第１の実施形態で説明したブラシ５０と第２の実施形態で説明したローラ５２とを組み合わせて用いることも可能である。また、第３の実施形態で説明したダクト６０と第４の実施形態で説明した風向変更板６２とを組み合わせて用いることも可能である。
【００３５】
また、上記の実施形態では、光電装置３０を３個設けたが、１個でも良い。また、上記の実施形態では、光電装置３０は、投光部と受光部とが一体に構成されているが、投光部と受光部とが別体であっても良い。
【符号の説明】
【００３６】
１０…昇降路、１２…乗り場、１４…乗り場の扉、１６…利用者、２０…乗りかご、３０…光電装置、３２…ブラケット、４０…反射板、５０…ブラシ、５２…ローラ、５２ａ…スポンジ、５４…髪の毛、６０…ダクト、６２…風向変更板
【図１】
2012030954.tif 000003
【図２】
2012030954.tif 000004
【図３】
2012030954.tif 000005
【図４】
2012030954.tif 000006
【図５】
2012030954.tif 000007
【図６】
2012030954.tif 000008
【図７】
2012030954.tif 000009